Podtech/llm-jp-corpus-v4-ja_patent huggingface dataset:
【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
（Ａ）ポリオレフィンに対してシランカップリング剤をグラフト重合させたシラングラフトポリオレフィン
（Ｂ）未変性ポリオレフィン
（Ｃ）カルボキシ基、エステル基、酸無水物基、アミノ基、エポキシ基から選択される１種または２種以上の官能基を有する変性ポリオレフィン
（Ｄ）難燃剤
（Ｅ）架橋触媒
を含み、
前記（Ａ）シラングラフトポリオレフィンの、シラングラフト前のポリオレフィンが、密度０．８６５〜０．８９０ｇ／ｃｍ３、融点８０℃以上であり、
前記（Ｂ）未変性ポリオレフィンが、密度０．８６０〜０．９５０ｇ／ｃｍ３であり、
前記（Ａ）シラングラフトポリオレフィンを３０〜９０質量部
前記（Ｂ）未変性ポリオレフィンと前記（Ｃ）変性ポリオレフィンとを合計で１０〜７０質量部含み、
前記（Ａ）、（Ｂ）および（Ｃ）の合計１００質量部に対し、前記（Ｄ）難燃剤として、
（Ｄ−１）金属水酸化物１０〜１００質量部、
（Ｄ−２）臭素系難燃剤１０〜４０質量部および三酸化アンチモン５〜２０質量部、
の少なくともいずれか一方を含むことを特徴とする電線被覆材用組成物。
【請求項２】
前記（Ｄ）難燃剤として、
前記（Ｄ−１）金属水酸化物を少なくとも含むことを特徴とする請求項１に記載の電線被覆材用組成物。
【請求項３】
前記（Ｄ−１）金属水酸化物は、平均粒径が０．１〜１０μｍの、表面処理を施されていない粒子であることを特徴とする請求項２に記載の電線被覆材用組成物。
【請求項４】
前記（Ｄ）難燃剤として、
前記（Ｄ−１）金属水酸化物と、
前記（Ｄ−２）臭素系難燃剤および三酸化アンチモン
の両方を含むことを特徴とする請求項２または３に記載の電線被覆材用組成物。
【請求項５】
前記（Ａ）、（Ｂ）および（Ｃ）の合計１００質量部に対し、前記（Ｄ）難燃剤として、
前記（Ｄ−１）金属水酸化物１０〜５０質量部、および
前記（Ｄ−２）臭素系難燃剤１０〜２０質量部および三酸化アンチモン５〜２０質量部、
を含むことを特徴とする請求項４に記載の電線被覆材用組成物。
【請求項６】
前記（Ｄ−２）において、前記臭素系難燃剤と前記三酸化アンチモンが、臭素系難燃剤：三酸化アンチモン＝３：１〜２：１の当量比で含まれることを特徴とする請求項１から５のいずれか１項に記載の電線被覆材用組成物。
【請求項７】
前記（Ａ）シラングラフトポリオレフィンの、シラングラフト前のポリオレフィンが、密度０．８６５〜０．８８０ｇ／ｃｍ３、１９０℃×２．１６ｋｇ荷重におけるメルトフローレイト０．５〜５ｇ／１０分、ショアＡ硬度５５〜７０、曲げ弾性率３〜５０ＭＰａ、融点１００℃以上であり、
前記（Ｂ）未変性ポリオレフィンが、１９０℃×２．１６ｋｇ荷重におけるメルトフローレイト０．５〜５ｇ／１０分、曲げ弾性率３〜２００ＭＰａ、融点６５℃以上であることを特徴とする請求項１から６のいずれか１項に記載の電線被覆材用組成物。
【請求項８】
前記（Ａ）シラングラフトポリオレフィンを構成するポリオレフィンおよび前記（Ｂ）未変性ポリオレフィンが、それぞれ、エチレンおよびプロピレンの単独重合体、エチレンまたはプロピレンとα−オレフィンとの共重合体、ポリオレフィンエラストマーから選択される１種または２種以上であることを特徴とする請求項１から７のいずれか１項に記載の電線被覆材用組成物。
【請求項９】
前記（Ａ）シラングラフトポリオレフィンを構成するポリオレフィンおよび前記（Ｂ）未変性ポリオレフィンが、それぞれ、超低密度ポリエチレン、直鎖状低密度ポリエチレン、低密度ポリエチレンから選択される１種または２種以上であることを特徴とする請求項８に記載の電線被覆材用組成物。
【請求項１０】
前記（Ａ）シラングラフトポリオレフィンは、前記（Ｅ）架橋触媒と混合して架橋させた際のゲル分率が、８５％以上であることを特徴とする請求項１から９のいずれか１項に記載の電線被覆材用組成物。
【請求項１１】
前記（Ｃ）変性ポリオレフィンは、
１種または２種以上のα−オレフィンからなる未変性のベースポリオレフィンに、前記官能基を有する重合性化合物をグラフト重合させたもの、および
前記官能基を有する重合性化合物と、該重合性化合物と重合可能なオレフィンとを共重合させたもの、
から選択される１種または２種以上であることを特徴とする請求項１から１０のいずれか１項に記載の電線被覆材用組成物。
【請求項１２】
前記（Ｅ）架橋触媒は、錫、亜鉛、鉄、鉛、コバルトより選択される金属のカルボン酸塩、チタン酸エステル、有機塩基、無機酸、有機酸より選択される１種または２種以上であることを特徴とする請求項１から１１のいずれか１項に記載の電線被覆材用組成物。
【請求項１３】
さらに
前記（Ａ）、（Ｂ）および（Ｃ）の合計１００質量部に対し、
（Ｆ）酸化防止剤を１〜１０質量部、
（Ｇ）金属不活性剤を１〜１０質量部、
（Ｈ）滑剤を１〜１０質量部、
から選択される１種または２種以上を含むことを特徴とする請求項１から１２のいずれか１項に記載の電線被覆材用組成物。
【請求項１４】
前記（Ｆ）酸化防止剤は、ヒンダードフェノール系酸化防止剤であり、
前記（Ｇ）金属不活性剤は、銅不活性剤、キレート化剤から選択される１種または２種以上であり、
前記（Ｈ）滑剤は、炭化水素、脂肪酸、高級アルコール、脂肪酸アミド、アルキレン脂肪酸アミド、金属せっけん、エステル系滑剤から選択される１種または２種以上であることを特徴とする請求項１３に記載の電線被覆材用組成物。
【請求項１５】
さらに
前記（Ａ）、（Ｂ）および（Ｃ）の合計１００質量部に対し、
（Ｉ−１）酸化亜鉛を１〜１５質量部およびイミダゾール系化合物を１〜１５質量部、
（Ｉ−２）硫酸亜鉛を１〜１５質量部、
のいずれか一方を含むことを特徴とする請求項１から１４のいずれか１項に記載の電線被覆材用組成物。
【請求項１６】
請求項１から１５のいずれか１項に記載の電線被覆材用組成物を架橋させてなる電線被覆材を有することを特徴とする絶縁電線。
【請求項１７】
前記電線被覆材のゲル分率が、５０％以上であることを特徴とする請求項１６に記載の絶縁電線。
【請求項１８】
請求項１６または１７に記載の絶縁電線を有することを特徴とするワイヤーハーネス。
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
画素の第１と第２の群とを含み、アクティブエリアを形成する画素のアレイと、
画素の前記第１と第２の群の間に非アクティブエリアを形成する不透明マスキング材料と、
画素の前記第１と第２の群の間の前記非アクティブエリアに配置された光センサおよび発光体と、を備える電子デバイス。
【請求項２】
前記不透明マスキング材料が、画素の前記アレイの周りに境界を形成する、請求項１に記載の電子デバイス。
【請求項３】
前記発光体は赤外光を放射する、請求項１に記載の電子デバイス。
【請求項４】
前記光センサは赤外光を検出する、請求項３に記載の電子デバイス。
【請求項５】
前記不透明マスキング材料が、画素の前記第１と第２の群の間に配置され、前記光センサと位置合わせされた開口を有する、請求項１に記載の電子デバイス。
【請求項６】
前記アレイにおける前記画素の列を横断して延びる信号線をさらに含み、前記信号線は第１と第２の信号線を含み、前記第１の信号線は前記第２の信号線よりも短い、請求項１に記載の電子デバイス。
【請求項７】
前記信号線はゲート線を含み、前記第１の信号線は画素の前記第１の群を横断して延びる、請求項６に記載の電子デバイス。
【請求項８】
画素の前記第２の群は、バッテリ充電レベルおよび信号強度情報を表示するように構成される、請求項１に記載の電子デバイス。
【請求項９】
前記不透明マスキング材料が、画素の前記第１と第２の群の間に配置された開口を含む、請求項１に記載の電子デバイス。
【請求項１０】
画素の前記アレイと重なり、画素の前記第１と第２の群の間に位置するスピーカーポートを有するディスプレイカバー層をさらに含む、請求項１に記載の電子デバイス。
【請求項１１】
画素のアレイを含むアクティブ表示エリアと、ここで、画素の前記アレイは、画素の第１と第２の列を含み、前記第１の列は前記第２の列よりも少ない画素を有し、
画素の前記第１と第２の列をそれぞれ横断して延びる第１と第２の信号線と、ここで前記第１の信号線は前記第２の信号線より短く、
前記アクティブ表示エリア内に突出し、画素の前記第１の列を遮る突出部分を有する非アクティブ表示エリアと、
前記非アクティブ表示エリアの前記突出部分における入出力構成要素と、を備える電子デバイス。
【請求項１２】
前記入出力構成要素は、スピーカ、カメラ、光センサ、ディスクリート発光ダイオード、近接センサ、歪みゲージ、力センサ、温度センサ、指紋センサ、ボタン、マイクからなる群から選択される少なくとも１つの構成要素を含む、請求項１１に記載の電子デバイス。
【請求項１３】
前記第１と第２の信号線はゲート線を含む、請求項１１に記載の電子デバイス。
【請求項１４】
前記非アクティブ表示エリアの前記突出部分に不透明マスキング材料をさらに含む、請求項１１に記載の電子デバイス。
【請求項１５】
前記不透明マスキング材料は、前記非アクティブ表示エリアにおいて、前記入出力構成要素の１つと位置合わせされた開口を有する、請求項１４に記載の電子デバイス。
【請求項１６】
画素の第１と第２の列を含む画素のアレイと、ここで、前記第１の列は前記第２の列より少ない画素を有し、
前記第１の列における第１と第２の画素の間に挟まれた赤外線発光構成要素と、
画素の前記第１の列における前記第１と第２の画素の間に挟まれた不透明マスキング材料と、を備える電子デバイス。
【請求項１７】
前記不透明マスキング材料が、前記赤外線発光構成要素に位置合わせされた開口を有する、請求項１６に記載の電子デバイス。
【請求項１８】
前記不透明マスキング材料が、画素の前記第２の列をさえぎることなく、画素の前記第１の列をさえぎる、請求項１６に記載の電子デバイス。
【請求項１９】
画素の前記第１の列を横断して延びる第１のゲート線と、画素の前記第２の列を横断して延びる第２のゲート線とをさらに備え、前記第１のゲート線は前記第２のゲート線より短い、請求項１６に記載の電子デバイス。
【請求項２０】
画素の前記アレイと重なり、前記第１と第２の画素の間に開口を有するディスプレイカバー層をさらに備える、請求項１６に記載の電子デバイス。
【手続補正書】
【提出日】令和2年11月5日(2020.11.5)
【手続補正１】
【補正対象書類名】特許請求の範囲
【補正対象項目名】全文
【補正方法】変更
【補正の内容】
【特許請求の範囲】
【請求項１】
量子ドットが樹脂に分散されてなる量子ドット含有部材であって、
前記樹脂は、トリアリルイソシアヌレートと、ペンタエリスリトールテトラキス（３−メルカプトプロピオネート）とを含有し、
前記量子ドット含有部材中に含まれる前記量子ドットの分散性を向上させるための分散剤が含まれることを特徴とする量子ドット含有部材。
【請求項２】
前記量子ドット含有部材の表面に、バリア層が配置されていないことを特徴とする請求項１に記載の量子ドット含有部材。
【請求項３】
前記樹脂は、以下の一般式（３）と、一般式（５）を含有することを特徴とする請求項１又は請求項２に記載の量子ドット含有部材。
【化３】
2020181196.tif 000001
【化５】
2020181196.tif 000002
【請求項４】
請求項１から請求項３のいずれかに記載の量子ドット含有部材を用いて構成されることを特徴とするシート部材。
【請求項５】
請求項１から請求項３のいずれかに記載の量子ドット含有部材、又は、請求項４に記載のシート部材を具備することを特徴とするバックライト装置。
【請求項６】
請求項１から請求項３のいずれかに記載の量子ドット含有部材、又は、請求項４に記載のシート部材を具備することを特徴とする表示装置。
【手続補正２】
【補正対象書類名】明細書
【補正対象項目名】０００８
【補正方法】変更
【補正の内容】
【０００８】
本発明の量子ドット含有部材は、量子ドットが樹脂に分散されてなる量子ドット含有部材であって、前記樹脂は、トリアリルイソシアヌレートと、ペンタエリスリトールテトラキス（３−メルカプトプロピオネート）とを含有し、前記量子ドット含有部材中に含まれる前記量子ドットの分散性を向上させるための分散剤が含まれることを特徴とする。
前記量子ドット含有部材の表面に、バリア層が配置されていないことが好ましい。
【手続補正３】
【補正対象書類名】明細書
【補正対象項目名】０００９
【補正方法】変更
【補正の内容】
【０００９】
本発明では、前記樹脂は、以下の一般式（３）と、一般式（５）を含有することが好ましい。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００４９
【補正方法】変更
【補正の内容】
【００４９】
【化１３】
2020181196.tif 000003
【手続補正書】
【提出日】令和2年7月14日(2020.7.14)
【手続補正１】
【補正対象書類名】特許請求の範囲
【補正対象項目名】全文
【補正方法】変更
【補正の内容】
【特許請求の範囲】
【請求項１】
遊技球の始動口への入球に起因して抽出された数値データに基づき当否判定を行う主制御装置と、前記主制御装置からのコマンドに応じて演出を行う演出制御装置とを備える弾球遊技機であって、
前記主制御装置は、
抽出された前記数値データを保留記憶として記憶する保留記憶手段と、
前記保留記憶に係る前記数値データに基づき、前記当否判定を行うと、前記演出制御装置に対し前記コマンドを送信する当否判定手段と、
を有し、
前記演出制御装置は、
前記コマンドを受信すると、複数の変動エリアにて演出図柄の変動表示を行った後に、前記当否判定の結果に応じた組合せの前記演出図柄をこれらの変動エリアに表示させることで、該当否判定の結果を報知する図柄演出を行う図柄演出手段と、
前記図柄演出において、複数の前記変動エリアでの前記変動表示を一時的に停止させ、これらの変動エリアにて予め定められた擬似連態様で前記演出図柄を表示する仮停止を行った後、これらの変動エリアでの前記変動表示を再始動する継続演出を、予め定められた継続タイミングで１回又は複数回にわたって実行する擬似連手段と、
前記演出制御装置に接続されており、遊技者から操作を受け付ける受付手段と、
を有し、
前記擬似連手段は、前記図柄演出の実行中において、１回又は複数回にわたって前記継続演出を実行する場合、前記受付手段を介して受け付けた前記操作に応じて、該操作の次の前記継続タイミングに実行される前記継続演出に替えて前記仮停止を行い、その後、該継続タイミングに前記変動表示を再始動し、
前記受付手段が前記操作を受け付けたことに基づいて実行される操作演出を備え、
前記操作により前記操作演出が実行される場合は該操作による前記仮停止を実行しないこと、
を特徴とする弾球遊技機。
【手続補正２】
【補正対象書類名】明細書
【補正対象項目名】０００６
【補正方法】変更
【補正の内容】
【０００６】
上記課題に鑑みてなされた請求項１に係る弾球遊技機は、遊技球の始動口への入球に起因して抽出された数値データに基づき当否判定を行う主制御装置と、主制御装置からのコマンドに応じて演出を行う演出制御装置とを備える。主制御装置は、抽出された数値データを保留記憶として記憶する保留記憶手段と、保留記憶に係る数値データに基づき、当否判定を行うと、演出制御装置に対しコマンドを送信する当否判定手段と、を有する。また、演出制御装置は、コマンドを受信すると、複数の変動エリアにて演出図柄の変動表示を行った後に、当否判定の結果に応じた組合せの演出図柄をこれらの変動エリアに表示させることで、該当否判定の結果を報知する図柄演出を行う図柄演出手段と、図柄演出において、複数の変動エリアでの変動表示を一時的に停止させ、これらの変動エリアにて予め定められた擬似連態様で演出図柄を表示する仮停止を行った後、これらの変動エリアでの変動表示を再始動する継続演出を、予め定められた継続タイミングで１回又は複数回にわたって実行する擬似連手段と、演出制御装置に接続されており、遊技者から操作を受け付ける受付手段と、を有する。そして、擬似連手段は、図柄演出の実行中において、１回又は複数回にわたって継続演出を実行する場合、受付手段を介して受け付けた操作に応じて、該操作の次の継続タイミングに実行される継続演出に替えて仮停止を行い、その後、該継続タイミングに変動表示を再始動する。そして、受付手段が操作を受け付けたことに基づいて実行される操作演出を備え、操作により操作演出が実行される場合は該操作による前記仮停止を実行しない。
【手続補正３】
【補正対象書類名】明細書
【補正対象項目名】０００８
【補正方法】変更
【補正の内容】
【０００８】
なお、弾球遊技機は、図柄演出において、複数の変動エリアのうちの１つで変動表示が行われていると共に、残りの変動エリアでは、変動表示が行われておらず、いずれかの演出図柄が表示されており、該１つの変動エリアにていずれかの演出図柄が表示されると、これらの変動エリアに、当否判定で当選したことを示す演出図柄の組合せが表示される状態を、リーチとし、擬似連態様は、リーチの際に表示される演出図柄と、継続演出の実行を示唆する演出図柄とが、複数の変動エリアに表示される態様を含んでいても良い。そして、擬似連手段は、図柄演出の実行中において、リーチとなった後、受付手段を介して遊技者から短縮操作を受け付けると、該短縮操作の後に継続タイミングが到来しない場合には、該図柄演出にて結果が報知される当否判定の結果を示唆する演出を行っても良い。
【手続補正４】
【補正対象書類名】明細書
【補正対象項目名】０００９
【補正方法】変更
【補正の内容】
【０００９】
このような構成によれば、リーチ中に短縮操作が行われると、この後に新たな擬似連が開始される場合には、擬似連が短縮され、そうでない場合には、当否判定の結果を示唆する演出が行われる。したがって、新たな擬似連が開始されるか否かに関わらず、リーチ中の短縮操作に意味を持たせることができ、遊技の興趣を高めることができる。
また、弾球遊技機は、図柄演出において、複数の変動エリアのうちの１つで変動表示が行われていると共に、残りの変動エリアでは、変動表示が行われておらず、いずれかの演出図柄が表示されており、該１つの変動エリアにていずれかの演出図柄が表示されると、これらの変動エリアに、当否判定で当選したことを示す演出図柄の組合せが表示される状態を、リーチとしても良い。そして、擬似連手段は、リーチとなる図柄演出の実行中において、リーチとなる前に受付手段を介して遊技者から短縮操作を受け付けると、該短縮操作の後に継続タイミングが到来しない場合には、該図柄演出をリーチとし、リーチにならない図柄演出の実行中において、受付手段を介して遊技者から短縮操作を受け付けると、該短縮操作の後に継続タイミングが到来しない場合には、複数の変動エリアにて行われている変動表示を停止させ、これらの変動エリアに、当否判定で当選しないことを示す態様で演出図柄を表示しても良い。
【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
枠状の基枠部と前記基枠部に対して開閉可能な開閉部とを含む遊技機枠を備え、
所定の制御条件の成立に基づいて有利な特別遊技状態に制御する遊技機において、
移動可能な駆動部材と、
前記駆動部材の停止を保持させる停止保持力を付与可能な駆動手段と、
前記駆動手段を制御可能な制御手段と、を備え、
前記制御手段は、
前記駆動手段が前記駆動部材に停止保持力を付与する保持状態にしているときに前記開閉部が前記基枠部に対して開放すること基づいて、前記駆動手段が前記駆動部材に停止保持力を付与しない無保持状態に切替可能なものであることを特徴とする遊技機。
【手続補正２】
【補正対象書類名】明細書
【補正対象項目名】０００７
【補正方法】変更
【補正の内容】
【０００７】
本発明の遊技機は、
枠状の基枠部と前記基枠部に対して開閉可能な開閉部とを含む遊技機枠を備え、
所定の制御条件の成立に基づいて有利な特別遊技状態に制御する遊技機において、
移動可能な駆動部材と、
前記駆動部材の停止を保持させる停止保持力を付与可能な駆動手段と、
前記駆動手段を制御可能な制御手段と、を備え、
前記制御手段は、
前記駆動手段が前記駆動部材に停止保持力を付与する保持状態にしているときに前記開閉部が前記基枠部に対して開放すること基づいて、前記駆動手段が前記駆動部材に停止保持力を付与しない無保持状態に切替可能なものであることを特徴とする遊技機である。
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
対象物の印刷対象面に印刷を行う印刷機構と、
前記対象物が載置可能であって互いに異なるサイズを有する複数の前記対象物のそれぞれ対応するように形成されている複数の種類の対象物載置台の何れかが着脱可能に装着される載置台装着部と、
前記載置台装着部に装着されている特定の対象物載置台の種類を認識する種類認識手段と、
前記印刷機構により前記印刷対象面に印刷が行われる予定の特定の対象物のサイズを取得するサイズ取得部と、
前記特定の対象物載置台の種類が前記特定の対象物のサイズに対応していない種類である場合に、これを報知する報知部と、
を備えていることを特徴とする印刷装置。
【請求項２】
前記報知部は、更に、前記特定の対象物載置台を前記特定の対象物のサイズに対応した種類の前記対象物載置台に交換することを促す情報を報知することを特徴とする請求項１に記載の印刷装置。
【請求項３】
前記対象物は指であり、前記印刷対象面は前記指が有する爪の表面であることを特徴とする請求項１又は請求項２に記載の印刷装置。
【請求項４】
前記複数の種類の対象物載置台の外形寸法は同じであり、
前記複数の種類の対象物載置台は前記指が載置される領域を有し、前記複数の種類の対象物載置台のそれぞれにおいて、前記領域の少なくとも前記指の幅方向の寸法が互いに異なっていることを特徴とする請求項３に記載の印刷装置。
【請求項５】
前記複数の種類の対象物載置台は、更に、前記領域の前記指の長さ方向の寸法が互いに異なっていることを特徴とする請求項４に記載の印刷装置。
【請求項６】
前記サイズ取得部は、前記特定の対象物載置台に前記特定の対象物が載置されている状態で、前記特定の対象物を撮像する撮像機構と、前記撮像機構が撮像した画像に基づいて前記特定の対象物のサイズを求めるサイズ計測部と、を備えていることを特徴とする請求項１から請求項５のいずれか１項に記載の印刷装置。
【請求項７】
前記複数の種類の対象物載置台には、それぞれ前記対象物載置台の種類を表すシンボルが前記撮像機構により撮像可能な位置に設けられており、
前記種類認識手段は、前記撮像機構により前記シンボルが撮影された画像に基づいて、前記対象物載置台の種類を特定する種類特定手段を備えていることを特徴とする請求項６に記載の印刷装置。
【請求項８】
前記複数の種類の対象物載置台には、それぞれ前記対象物載置台の種類を表す凸部又は凹部が設けられており、
前記種類認識手段は、
前記対象物載置台に設けられている前記凸部又は凹部が嵌合される凹部又は凸部と、
前記対象物載置台の前記凸部又は前記凹部が嵌合された前記凹部又は前記凸部を検出し、前記対象物載置台の種類を特定する種類特定手段と、を備えていることを特徴とする請求項１から請求項６のいずれか１項に記載の印刷装置。
【請求項９】
前記複数の種類の対象物載置台には、それぞれ前記対象物載置台の種類を表す情報を送信する無線タグが設けられており、
前記種類認識手段は、
前記対象物載置台に設けられている前記無線タグが送信する情報を受信する受信部と、
前記種類を表す情報に基づいて、前記対象物載置台の種類を特定する種類特定手段と、を備えていることを特徴とする請求項１から請求項６のいずれか１項に記載の印刷装置。
【請求項１０】
前記複数の種類の対象物載置台には、それぞれ前記対象物載置台の種類を表す情報を有するバーコードが設けられており、
前記種類認識手段は、
前記対象物載置台に設けられている前記バーコードを読み取るバーコードリーダーと、
前記バーコードリーダーが読み取ったバーコードに基づいて、前記対象物載置台の種類を特定する種類特定手段と、を備えていることを特徴とする請求項１から請求項６のいずれか１項に記載の印刷装置。
【請求項１１】
前記対象物載置台の種類として、少なくとも、前記対象物の標準的なサイズに対応したＭサイズと、前記Ｍサイズより大きいサイズに対応したＬサイズと、前記Ｍサイズより小さいサイズに対応したＳサイズと、が準備されていることを特徴とする請求項１から請求項１０のいずれか１項に記載の印刷装置。
【請求項１２】
印刷装置の制御方法であって、
前記印刷装置は、対象物の印刷対象面に印刷を行う印刷機構と、前記対象物が載置可能であって互いに異なるサイズを有する複数の前記対象物のそれぞれ対応するように形成されている複数の種類の対象物載置台の何れかが着脱可能に装着される載置台装着部と、を備え、
前記載置台装着部に装着されている特定の対象物載置台の種類を認識し、
前記印刷機構により前記印刷対象面に印刷が行われる予定の特定の対象物のサイズを取得し、
前記特定の対象物載置台の種類が前記特定の対象物のサイズに対応していない種類である場合に、これを報知することを特徴とする制御方法。
【請求項１３】
印刷装置用のプログラムであって、
前記印刷装置は、対象物の印刷対象面に印刷を行う印刷機構と、前記対象物が載置可能であって互いに異なるサイズを有する複数の前記対象物のそれぞれ対応するように形成されている複数の種類の対象物載置台の何れかが着脱可能に装着される載置台装着部と、を備え、
前記印刷装置に対して、
前記載置台装着部に装着されている特定の対象物載置台の種類を認識させ、
前記印刷機構により前記印刷対象面に印刷予定の特定の対象物のサイズを取得させ、
前記特定の対象物載置台の種類が前記特定の対象物のサイズに対応していない種類である場合に、これを報知させる処理を実行させるプログラム。
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
排ガスの通路となる吸収塔と、
前記吸収塔の内部に配置されるスプレイパイプと、を備える脱硫装置であって、
前記スプレイパイプが、
先端部が閉塞された筒状のパイプ部と、
前記パイプ部に取り付けられる第１フランジ部と、
前記パイプ部の鉛直方向の下部に取り付けられた脚部と、を備え、
前記吸収塔が、
側方に向けて開口する開口穴と、
該開口穴の周囲に配置される第２フランジ部と、を備え、
前記第１フランジ部と前記第２フランジ部とが、着脱可能に取り付けられており、
前記脚部の鉛直方向の下端の位置が、前記開口穴の鉛直方向の下端の位置よりも低く配置された脱硫装置。
【請求項２】
所定数の前記スプレイパイプを備え、
前記吸収塔が、
前記所定数の前記開口穴と、
前記所定数の前記第２フランジ部と、を備え、
前記所定数の前記第２フランジ部のそれぞれに、前記所定数の前記第１フランジ部が一対一で取り付けられている請求項１に記載の脱硫装置。
【請求項３】
前記パイプ部の軸線が水平方向に沿って延び、前記軸線の鉛直方向の位置が、前記開口穴の鉛直方向の中心位置よりも低く配置された請求項１に記載の脱硫装置。
【請求項４】
前記パイプ部は、下端部が前記開口穴に接触しない状態で配置される請求項１から請求項３のいずれか一項に記載の脱硫装置。
【請求項５】
前記開口穴は矩形である請求項１から請求項４のいずれか一項に記載の脱硫装置。
【請求項６】
前記第１フランジ部と前記第２フランジ部の形状は、矩形である請求項５に記載の脱硫装置。
【請求項７】
前記スプレイパイプが、
前記パイプ部の鉛直方向の上部の複数箇所に配置されて前記パイプ部を水平方向に流通する吸収液を鉛直方向の上方へ導く複数のノズルホルダと、
前記複数のノズルホルダのそれぞれに着脱可能に取り付けられ、吸収液を鉛直方向の上方に吐出するスプレイノズルと、を備え、
前記吸収塔に設置されて前記スプレイパイプを支持するとともに第２面を有する支持部を備え、
前記スプレイパイプが、前記脚部が有する第１面を前記第２面に対向させた状態で前記支持部に支持されており、
鉛直方向において、前記開口穴の下端部から上端部までの高さが前記脚部の前記第１面から前記ノズルホルダの上端部までの高さよりも高い請求項１から請求項４のいずれか一項に記載の脱硫装置。
【請求項８】
前記吸収塔を側方からみた場合、前記第１フランジ部および前記第２フランジ部は、鉛直方向の上端および下端を通過する水平線と水平方向の左端および右端が通過する鉛直線とが交わる４箇所の角部が切り欠かれた形状である請求項１から請求項７のいずれか一項に記載の脱硫装置。
【請求項９】
前記吸収塔を側方からみた場合、前記第１フランジ部の水平方向の左端および右端の中点の位置と、前記パイプ部の中心位置とが、水平方向に離間している請求項１から請求項８のいずれか一項に記載の脱硫装置。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定にて所定の結果が得られたことに基づいて遊技者に特典を付与しうる特典付与手段と、
遊技者によって操作可能であり発光可能とされる操作手段と、
遊技者による操作の受付けが許容される演出受付期間を発生可能な受付期間発生手段と、
前記演出受付期間において、操作機会が付与される対象である操作受け部を摸した摸画像表示を表示可能な摸画像表示手段と
を備え、
前記受付期間発生手段は、遊技者による演出設定ではなく、前記判定手段による判定の結果に基づいて、
遊技者による操作があった場合、該操作があったことに基づいて受付後演出を発生させ、遊技者による操作が無くても遊技者による操作があったときと同じ受付後演出を発生させるように、遊技者に対して操作機会を付与する自動受付演出期間として前記演出受付期間を発生させる場合と、
遊技者による操作があった場合、該操作があったことに基づいて受付後演出を発生させ、遊技者による操作が無い場合、遊技者による操作があったときと同じ受付後演出を発生させないように、遊技者に対して操作機会を付与する非自動受付演出期間として前記演出受付期間を発生させる場合とがあり、
前記操作手段は、少なくとも第１態様及び第２態様を含む複数態様のいずれかで発光可能であり、
遊技者に対して操作機会が付与されているときに前記操作手段が前記第１態様で発光している場合は、前記非自動受付演出期間が発生している状況下にあることはなく前記自動受付演出期間が必ず発生している状況下にあり、遊技者に対して操作機会が付与されているときに前記操作手段が前記第２態様で発光している場合は、前記自動受付演出期間が発生している状況下にある場合と前記非自動受付演出期間が発生している状況下にある場合との両方があり、
さらに、
前記摸画像表示を表示するときの態様として第１態様及び第２態様が少なくとも用意されており、
遊技者に対して操作機会が付与されているときに前記摸画像表示が前記第１態様で表示されている場合は、前記非自動受付演出期間が発生している状況下にあることはなく前記自動受付演出期間が必ず発生している状況下にあり、遊技者に対して操作機会が付与されているときに前記摸画像表示が前記第２態様で表示されている場合は、前記自動受付演出期間が発生している状況下にある場合と前記非自動受付演出期間が発生している状況下にある場合との両方がある
ことを特徴とする遊技機。
【手続補正２】
【補正対象書類名】明細書
【補正対象項目名】０００６
【補正方法】変更
【補正の内容】
【０００６】
このような従来の遊技機では、遊技興趣が低下することが懸念される。
【手続補正３】
【補正対象書類名】明細書
【補正対象項目名】０００８
【補正方法】変更
【補正の内容】
【０００８】
手段１：判定を行う判定手段と、
前記判定手段による判定にて所定の結果が得られたことに基づいて遊技者に特典を付与しうる特典付与手段と、
遊技者によって操作可能であり発光可能とされる操作手段と、
遊技者による操作の受付けが許容される演出受付期間を発生可能な受付期間発生手段と、
前記演出受付期間において、操作機会が付与される対象である操作受け部を摸した摸画像表示を表示可能な摸画像表示手段と
を備え、
前記受付期間発生手段は、遊技者による演出設定ではなく、前記判定手段による判定の結果に基づいて、
遊技者による操作があった場合、該操作があったことに基づいて受付後演出を発生させ、遊技者による操作が無くても遊技者による操作があったときと同じ受付後演出を発生させるように、遊技者に対して操作機会を付与する自動受付演出期間として前記演出受付期間を発生させる場合と、
遊技者による操作があった場合、該操作があったことに基づいて受付後演出を発生させ、遊技者による操作が無い場合、遊技者による操作があったときと同じ受付後演出を発生させないように、遊技者に対して操作機会を付与する非自動受付演出期間として前記演出受付期間を発生させる場合とがあり、
前記操作手段は、少なくとも第１態様及び第２態様を含む複数態様のいずれかで発光可能であり、
遊技者に対して操作機会が付与されているときに前記操作手段が前記第１態様で発光している場合は、前記非自動受付演出期間が発生している状況下にあることはなく前記自動受付演出期間が必ず発生している状況下にあり、遊技者に対して操作機会が付与されているときに前記操作手段が前記第２態様で発光している場合は、前記自動受付演出期間が発生している状況下にある場合と前記非自動受付演出期間が発生している状況下にある場合との両方があり、
さらに、
前記摸画像表示を表示するときの態様として第１態様及び第２態様が少なくとも用意されており、
遊技者に対して操作機会が付与されているときに前記摸画像表示が前記第１態様で表示されている場合は、前記非自動受付演出期間が発生している状況下にあることはなく前記自動受付演出期間が必ず発生している状況下にあり、遊技者に対して操作機会が付与されているときに前記摸画像表示が前記第２態様で表示されている場合は、前記自動受付演出期間が発生している状況下にある場合と前記非自動受付演出期間が発生している状況下にある場合との両方がある
ことを特徴とする遊技機。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
ゲームにおいて所与の広告を出力制御させるコンピュータシステムであって、
広告視聴前に、ユーザの選択操作に基づいて、当該ユーザが保有する前記ゲームに係る遊興要素の中から入力要素を選択する入力要素選択手段と、
広告視聴の完了相当条件を満たしたときに、前記入力要素選択手段により選択された入力要素を変換して前記ユーザに付与する当該入力要素とは別種の遊興要素である出力要素を、広告視聴前に選択する出力要素選択手段と、
広告視聴前に、前記出力要素選択手段により選択された出力要素を前記ユーザに表示する制御を行う出力要素事前表示制御手段と、
前記出力要素事前表示制御手段による表示がなされた後になされる前記ユーザの実行指示操作に基づき、前記ユーザの広告の視聴と引き換えに、前記入力要素選択手段により選択された入力要素を、前記出力要素選択手段により選択された出力要素に変換して前記ユーザに付与することを目的とした広告の視聴制御（以下、視聴制御の対象広告を「視聴対象広告」という）を実行する広告視聴制御手段と、
前記広告視聴制御手段による前記視聴制御が前記完了相当条件を満たした場合に、前記入力要素選択手段により選択された入力要素を、前記出力要素選択手段により選択された出力要素に変換することで、当該出力要素を前記ユーザに付与する制御を行う出力要素付与手段と、
を備えたコンピュータシステム。
【請求項２】
広告視聴前に、前記視聴対象広告を前記ユーザの操作入力に基づいて設定する広告視聴設定手段、
を備え、
前記出力要素選択手段は、前記入力要素選択手段により選択された入力要素と、前記広告視聴設定手段により設定された視聴対象広告とに基づいて出力要素を選択する、
請求項１に記載のコンピュータシステム。
【請求項３】
前記広告視聴設定手段は、広告内容に関するカテゴリー、及び／又は、広告出稿者、を設定することで前記視聴対象広告を設定する、
請求項２に記載のコンピュータシステム。
【請求項４】
広告視聴前に、前記広告視聴制御手段の視聴制御に係る視聴設定を行う広告視聴設定手段、
を備え、
前記出力要素選択手段は、前記入力要素選択手段により選択された入力要素と、前記広告視聴設定手段により設定された視聴設定とに基づいて出力要素を選択する、
請求項１に記載のコンピュータシステム。
【請求項５】
前記視聴設定には、前記視聴対象広告が出力される時間設定が含まれ、
前記出力要素選択手段は、前記時間設定に基づいて前記出力要素を選択する、
請求項４に記載のコンピュータシステム。
【請求項６】
前記視聴設定には、前記視聴対象広告が出力される前記ゲーム中のタイミング、前記視聴対象広告が出力される日時、および、前記視聴対象広告が出力される時間帯、のうちの少なくとも１つを含むタイミング設定が含まれ、
前記出力要素選択手段は、前記タイミング設定に基づいて前記出力要素を選択する、
請求項４又は５に記載のコンピュータシステム。
【請求項７】
前記視聴設定には、前記視聴対象広告の出力形態の設定が含まれ、
前記出力要素選択手段は、前記出力形態に基づいて前記出力要素を選択する、
請求項４に記載のコンピュータシステム。
【請求項８】
前記出力要素選択手段は、前記ユーザが保有する前記入力要素と同じ遊興要素の数量、及び／又は、前記入力要素として選択された数量、を更に加味して前記出力要素を選択する、
請求項１〜７の何れか一項に記載のコンピュータシステム。
【請求項９】
前記出力要素選択手段は、前記入力要素と前記視聴対象広告との間に定められた相性に基づいて、前記出力要素を選択する、
請求項１〜８の何れか一項に記載のコンピュータシステム。
【請求項１０】
前記視聴対象広告には指定位置を示す情報が紐付けられており、
前記ユーザの位置を示す位置情報を取得する位置情報取得手段、
を備え、
前記出力要素選択手段は、前記位置情報が示す位置と前記指定位置との位置関係に基づいて出力要素を選択する、
請求項１〜９の何れか一項に記載のコンピュータシステム。
【請求項１１】
前記遊興要素には前記入力要素として選択可能な有効期限が紐付けられており、
前記入力要素選択手段は、前記有効期限の到来前の遊興要素の中から前記入力要素を選択する、
請求項１〜１０の何れか一項に記載のコンピュータシステム。
【請求項１２】
ユーザ操作用の表示画面において所与の広告を出力制御させるコンピュータシステムであって、
広告視聴前に、ユーザの選択操作に基づいて、当該ユーザが保有する複数の可処分情報の中から入力要素を選択する入力要素選択手段と、
広告視聴の完了相当条件を満たしたときに、前記入力要素選択手段により選択された入力要素を変換して前記ユーザに付与する当該入力要素とは別種の可処分情報である出力要素を、広告視聴前に選択する出力要素選択手段と、
広告視聴前に、前記出力要素選択手段により選択された出力要素を前記ユーザに表示する出力要素事前表示制御手段と、
前記出力要素事前表示制御手段による表示がなされた後になされる前記ユーザの実行指示操作に基づき、前記ユーザの広告の視聴と引き換えに、前記入力要素選択手段により選択された入力要素を、前記出力要素選択手段により選択された出力要素に変換して前記ユーザに付与することを目的とした広告の視聴制御を実行する広告視聴制御手段と、
前記広告視聴制御手段による前記視聴制御が前記完了相当条件を満たした場合に、前記入力要素選択手段により選択された入力要素を、前記出力要素選択手段により選択された出力要素に変換することで、当該出力要素を前記ユーザに付与する制御を行う出力要素付与手段と、
を備えたコンピュータシステム。
【請求項１３】
請求項１〜１２の何れか一項に記載のコンピュータシステムであるサーバシステムと、
前記ユーザが操作入力するユーザ端末と、
が通信可能に接続された広告出力制御システム。
【請求項１４】
前記ユーザが操作入力する操作入力部を備え、請求項１〜１２の何れか一項に記載のコンピュータシステムである広告出力制御装置。
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
抽選遊技の進行に応じて図柄変動が実行され、該図柄変動にて所定の表示態様が現れると遊技者に対して特典を付与する遊技制御手段と、
表示演出が行われる表示手段と、
前記表示演出の進展に応じて各種の遊技音を出力させることが可能な音出力手段と、
前記図柄変動の実行期間中、複数の遊技音が出力状態にあるとき、それら遊技音のうち少なくとも一部の遊技音の音量を低下させ、該音量が低下されている状態で特定遊技音の出力が終了されうる特定演出を実行可能な特定演出実行手段と、
前記特定演出実行手段によって前記特定遊技音の出力が終了された後、前記特定演出の前後に跨る期間にわたってチャンネルへの割り当てが継続されている別の遊技音の音量を低下状態から通常状態へと復帰させる音量復帰調整手段と、
前記特定演出実行手段によって前記特定遊技音の出力が終了されてから前記図柄変動の実行期間が終了するまでの間に、所定の演出条件が満たされていることを条件に、前記音量復帰調整手段によって音量が通常状態へと復帰される前記別の遊技音とは異なる特別遊技音を出力させる特別遊技音割当手段と
を備え、
前記特定遊技音は、
前記別の遊技音が前記特定演出の前後に跨ってチャンネルに割り当てられている状態にあるなかでその出力の開始と終了とがそれぞれ行われうるようになっており、
前記特定演出実行手段は、前記複数の遊技音のうち少なくとも一部の遊技音の音量を特定値まで低下させるものであり、該音量が特定値まで低下されてから所定時間が経過した後に前記特定遊技音の出力が終了される
ことを特徴とする遊技機。
【手続補正２】
【補正対象書類名】明細書
【補正対象項目名】０００８
【補正方法】変更
【補正の内容】
【０００８】
手段１：抽選遊技の進行に応じて図柄変動が実行され、該図柄変動にて所定の表示態様が現れると遊技者に対して特典を付与する遊技制御手段と、
表示演出が行われる表示手段と、
前記表示演出の進展に応じて各種の遊技音を出力させることが可能な音出力手段と、
前記図柄変動の実行期間中、複数の遊技音が出力状態にあるとき、それら遊技音のうち少なくとも一部の遊技音の音量を低下させ、該音量が低下されている状態で特定遊技音の出力が終了されうる特定演出を実行可能な特定演出実行手段と、
前記特定演出実行手段によって前記特定遊技音の出力が終了された後、前記特定演出の前後に跨る期間にわたってチャンネルへの割り当てが継続されている別の遊技音の音量を低下状態から通常状態へと復帰させる音量復帰調整手段と、
前記特定演出実行手段によって前記特定遊技音の出力が終了されてから前記図柄変動の実行期間が終了するまでの間に、所定の演出条件が満たされていることを条件に、前記音量復帰調整手段によって音量が通常状態へと復帰される前記別の遊技音とは異なる特別遊技音を出力させる特別遊技音割当手段と
を備え、
前記特定遊技音は、
前記別の遊技音が前記特定演出の前後に跨ってチャンネルに割り当てられている状態にあるなかでその出力の開始と終了とがそれぞれ行われうるようになっており、
前記特定演出実行手段は、前記複数の遊技音のうち少なくとも一部の遊技音の音量を特定値まで低下させるものであり、該音量が特定値まで低下されてから所定時間が経過した後に前記特定遊技音の出力が終了される
ことを特徴とする遊技機。
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
第１電極と、
前記第１電極と向かい合う第２電極と、
前記第１電極と前記第２電極の間に配置され、発光層を含む複数の有機層と、を含み、
前記第１電極と前記第２電極は、それぞれ独立して、Ａｇ、Ｍｇ、Ｃｕ、Ａｌ、Ｐｔ、Ｐｄ、Ａｕ、Ｎｉ、Ｎｄ、Ｉｒ、Ｃｒ、Ｌｉ、Ｃａ、ＬｉＦ／Ｃａ、ＬｉＦ／Ａｌ、Ｍｏ、Ｔｉ、Ｉｎ、Ｚｎ、及びＳｎからなる群から選択されるいずれか一つ、これらの中から選択される複数を含む化合物、これらの中から選択される複数を含む混合物、またはこれらの中から選択される１つ以上の酸化物を含み、
前記複数の有機層のうち少なくとも一つの有機層は、下記化学式１で表される含窒素環化合物を含むものである、有機電界発光素子：
【化１】
2019055942.tif 000001
（化学式１）
前記化学式１において、
Ａ１〜Ａ１０はそれぞれ独立してＣＲ３またはＮであり、
Ｒ１〜Ｒ３はそれぞれ独立して水素原子、重水素原子、ハロゲン原子、シアノ基、置換もしくは無置換のアミノ基、置換もしくは無置換のシリル基、置換もしくは無置換のホスフィニル基、置換もしくは無置換の炭素数１以上２０以下のアルキル基、置換もしくは無置換の環形成炭素数６以上３０以下のアリール基、または置換もしくは無置換の環形成炭素数２以上３０以下のヘテロアリール基であり、
ａ及びｂはそれぞれ独立して０以上４以下の整数である。
【請求項２】
前記Ａ１〜Ａ８のうち、Ｎの個数は０、１または２である、請求項１に記載の有機電界発光素子。
【請求項３】
前記Ａ９〜Ａ１０が互いに同じものである、請求項１に記載の有機電界発光素子。
【請求項４】
前記Ａ１〜Ａ８のうち少なくとも一つはＣＲ３またはＮであり、
前記Ｒ３はフッ素原子、シアノ基、置換もしくは無置換のアリールアミノ基、置換もしくは無置換のトリフェニルシリル基、置換もしくは無置換のジフェニルホスフィンオキシド基、置換もしくは無置換の炭素数１以上５以下のアルキル基、置換もしくは無置換のフェニル基、置換もしくは無置換のピリジニル基、置換もしくは無置換のトリアジニル基、置換もしくは無置換のカルバゾリル基、置換もしくは無置換のジベンゾフラニル基、または置換もしくは無置換のジベンゾチオフェニル基である、請求項１に記載の有機電界発光素子。
【請求項５】
Ａ３〜Ａ１０はＮである請求項１に記載の有機電界発光素子。
【請求項６】
Ａ９及びＡ１０はそれぞれ独立してＣＲ３であり、
Ｒ３は水素原子、置換もしくは無置換の炭素数１以上５以下のアルキル基、または置換もしくは無置換のフェニル基である請求項１に記載の有機電界発光素子。
【請求項７】
ａ及びｂが０である請求項１に記載の有機電界発光素子。
【請求項８】
ａ及びｂのうち少なくとも一つが１以上であり、
Ｒ１〜Ｒ２のうち少なくとも一つがフッ素原子、シアノ基、置換もしくは無置換のアリールアミノ基、置換もしくは無置換のトリフェニルシリル基、置換もしくは無置換のジフェニルホスフィンオキシド基、置換もしくは無置換のフェニル基、置換もしくは無置換のピリジニル基、置換もしくは無置換のトリアジニル基、置換もしくは無置換のカルバゾール基、置換もしくは無置換のジベンゾフラニル基、または置換もしくは無置換のジベンゾチオフェニル基である、請求項１に記載の有機電界発光素子。
【請求項９】
前記化学式１で表される含窒素化合物は、下記第１化合物群に示した化合物のうちから選択されるいずれか一つである、請求項１に記載の有機電界発光素子。
［第１化合物群］
【化２】
2019055942.tif 000002
2019055942.tif 000003
2019055942.tif 000004
2019055942.tif 000005
2019055942.tif 000006
。
【請求項１０】
前記発光層が、前記含窒素化合物を含むものである請求項１に記載の有機電界発光素子。
【請求項１１】
前記発光層はホスト及びドーパントを含み、
前記ホストは前記含窒素化合物を含む、請求項１に記載の有機電界発光素子。
【請求項１２】
前記有機層は、
前記第１電極と前記発光層との間に配置された正孔輸送領域と、
前記発光層と前記第２電極の間に配置された電子輸送領域と、を含み、
前記正孔輸送領域は前記含窒素化合物を含む、請求項１に記載の有機電界発光素子。
【請求項１３】
下記化学式１で表される含窒素環化合物：
【化１】
2019055942.tif 000007
（化学式１）
前記化学式１において、
Ａ１〜Ａ１０はそれぞれ独立してＣＲ３またはＮであり、
Ｒ１〜Ｒ３はそれぞれ独立して水素原子、重水素原子、ハロゲン原子、シアノ基、置換もしくは無置換のアミノ基、置換もしくは無置換のシリル基、置換もしくは無置換のホスフィニル基、置換もしくは無置換の炭素数１以上２０以下のアルキル基、置換もしくは無置換の環形成炭素数６以上３０以下のアリール基、または置換もしくは無置換の環形成炭素数２以上３０以下のヘテロアリール基であり、
ａ及びｂはそれぞれ独立して０以上４以下の整数である。
【手続補正２】
【補正対象書類名】明細書
【補正対象項目名】００１６
【補正方法】変更
【補正の内容】
【００１６】
有機層は第１電極と発光層の間に配置された正孔輸送領域、及び発光層と第２電極の間に配置された電子輸送領域を含み、正孔輸送領域が上述した本発明の一実施形態による含窒素化合物を含むものであってもよい。
本発明の一実施形態に係る有機電界発光素子では、前記第１電極と前記第２電極は、それぞれ独立して、Ａｇ、Ｍｇ、Ｃｕ、Ａｌ、Ｐｔ、Ｐｄ、Ａｕ、Ｎｉ、Ｎｄ、Ｉｒ、Ｃｒ、Ｌｉ、Ｃａ、ＬｉＦ／Ｃａ、ＬｉＦ／Ａｌ、Ｍｏ、Ｔｉ、Ｉｎ、Ｚｎ、及びＳｎからなる群から選択されるいずれか一つ、これらの中から選択される複数を含む化合物、これらの中から選択される複数を含む混合物、またはこれらの中から選択される１つ以上の酸化物を含むようにしてもよい。
【手続補正書】
【提出日】令和2年6月22日(2020.6.22)
【手続補正１】
【補正対象書類名】明細書
【補正対象項目名】００６６
【補正方法】変更
【補正の内容】
【００６６】
この表面処理の好ましい条件は以下のとおりである。
Ａｒガス流量：０〜２０００ｓｃｃｍ
Ｈ２ガス流量：１０〜２０００ｓｃｃｍ
圧力：０．１〜１０Ｔｏｒｒ（１３．３〜１３３３Ｐａ）
ウエハ温度：３００〜６００℃
時間：１０〜１２０ｍｉｎ
【手続補正２】
【補正対象書類名】明細書
【補正対象項目名】００７０
【補正方法】変更
【補正の内容】
【００７０】
処理装置１００におけるリモートマイクロ波プラズマＣＶＤの際の好ましい条件は、以下のとおりである。
ガス流量：
Ａｒガス＝０〜２０００ｓｃｃｍ（より好ましくは１０〜２０００ｓｃｃｍ）
炭化水素ガス（本例ではＣ２Ｈ４ガス）＝０．１〜３００ｓｃｃｍ
Ｈ２ガス＝０．０１〜５００ｓｃｃｍ
圧力：
ウエハ表面が絶縁体および半導体の場合
１．３３〜６６７Ｐａ（０．０１〜５Ｔｏｒｒ）
ウエハ表面が金属の場合（触媒機能なし）
１．３３〜４００Ｐａ（０．０１〜３Ｔｏｒｒ）
温度：３５０〜１０００℃（より好ましくは４００〜８００℃）
マイクロ波パワー：１００〜５０００Ｗ（より好ましくは１０００〜３５００Ｗ）
時間：１〜２００ｍｉｎ
【手続補正３】
【補正対象書類名】明細書
【補正対象項目名】００９１
【補正方法】変更
【補正の内容】
【００９１】
この表面処理の好ましい条件は以下のとおりである。
Ａｒガス流量：０〜２０００ｓｃｃｍ
Ｈ２ガス流量：１０〜２０００ｓｃｃｍ
圧力：０．１〜１０Ｔｏｒｒ（１３．３〜１３３３Ｐａ）
ウエハ温度：３００〜６００℃
時間：１０〜１２０ｍｉｎ
【手続補正４】
【補正対象書類名】明細書
【補正対象項目名】００９８
【補正方法】変更
【補正の内容】
【００９８】
処理装置２００におけるリモートマイクロ波プラズマＣＶＤの際の好ましい条件は、基本的に第１の例と同じであるが、項目によっては、より好ましい条件が異なっており、以下のとおりである。
ガス流量：
Ａｒガス＝０〜２０００ｓｃｃｍ（より好ましくは１０〜２０００ｓｃｃｍ）
炭化水素ガス（本例ではＣ２Ｈ４ガス）＝０．１〜３００ｓｃｃｍ
Ｈ２ガス＝０．０１〜５００ｓｃｃｍ
圧力：
ウエハ表面が絶縁体および半導体の場合
１．３３〜６６７Ｐａ（０．０１〜５Ｔｏｒｒ）
ウエハ表面が金属の場合（触媒機能なし）
１．３３〜４００Ｐａ（０．０１〜３Ｔｏｒｒ）
温度：３５０〜１０００℃（より好ましくは４００〜８００℃）
マイクロ波パワー：トータルで１００〜５０００Ｗ（より好ましくは１０００〜３５００Ｗ）
時間：１〜２００ｍｉｎ